(57)【要約】【課題】使用可能なＬＥＤが無駄に交換されるのを抑制できる画像読取装置、及び、その画像読取装置を備えた画像形成装置を提供する。【解決手段】光源部１９０が、少なくとも１個のＬＥＤ４０１をそれぞれ有する互いに別個の複数のＬＥＤアレイ４００を設置台４０３に対して着脱可能に構成したものなので、寿命や故障などにより点灯しなくなったＬＥＤ４０１があったとしても、そのＬＥＤ４０１が配置されたＬＥＤアレイ４００のみを交換することができる。よって、点灯しなくなったＬＥＤ４０１を交換する際に、一つの基板上に光源となるすべてのＬＥＤ４０１を実装したＬＥＤアレイごと交換する場合よりも、まだ使用可能なＬＥＤ４０１が無駄に交換されるのを抑制することができる。【選択図】図１
2008172389.tif 000002
【特許請求の範囲】
【請求項１】
画像読取対象物に光を照射する光源部と、
該画像読取対象物で反射した反射光を受光して該画像読取対象物を撮像する撮像手段とを備えた画像読取装置において、
該光源部は、少なくとも１個の発光素子をそれぞれ有する互いに別個の複数の光照射体と、該複数の光照射体を着脱可能に保持する保持部材とを備えることを特徴とする画像読取装置。
【請求項２】
請求項１の画像読取装置において、
上記複数の光照射体が、それぞれ個別に上記保持部材に対して着脱可能であることを特徴とする画像読取装置。
【請求項３】
請求項１の画像読取装置において、
上記複数の光照射体は、隣接する光照射体同士を着脱可能に連結させる連結部をそれぞれ有しており、該複数の光照射体が該連結部で連結された状態で上記保持部材に対して着脱可能であることを特徴とする画像読取装置。
【請求項４】
請求項３の画像読取装置において、
上記連結部を介して上記複数の光照射体のそれぞれに電流が供給されるように構成したことを特徴とする画像読取装置。
【請求項５】
請求項１、２、３または４の画像読取装置において、
上記複数の光照射体のそれぞれの基板サイズと、該複数の光照射体にそれぞれ実装される発光素子の数とが同一であることを特徴とする画像読取装置。
【請求項６】
請求項５の画像読取装置において、
上記光源部に設けられるすべての発光素子の発光輝度が、同一または略同一であることを特徴とする画像読取装置。
【請求項７】
請求項１、２、３、４、５または６の画像読取装置において、
隣接する光照射体の間に隙間が空いた状態で、上記複数の光照射体が上記保持部材に保持されるように構成したことを特徴とする画像読取装置。
【請求項８】
請求項１、２、３、４、５、６または７の画像読取装置において、
上記発光素子は上記光照射体上に等間隔で配置されており、該光照射体上の発光素子の配置間隔と、隣接する２つの光照射体の間をまたいで隣り合う発光素子の配置間隔とが同じになるように構成したことを特徴とする画像読取装置。
【請求項９】
請求項１、２、３、４、５、６、７または８の画像読取装置において、
上記複数の光照射体は、それぞれ独立して点灯可能なように構成されていることを特徴とする画像読取装置。
【請求項１０】
請求項１、２、３、４、５、６、７、８または９の画像読取装置において、
上記画像読取対象物を平面的に定置するガラス部材と、
該ガラス部材の該画像読取対象物の設置面に沿って移動可能な、少なくとも上記光源部を有する走行体とを有しており、
画像読取動作時以外に該走行体を該ガラス部材と対向する位置に移動して、該光源部を点灯するモードを備えることを特徴とする画像読取装置。
【請求項１１】
請求項１０の画像読取装置において、
上記モード中の発光素子の発光出力が、画像読取動作時の該発光出力よりも低くなるように構成したことを特徴とする画像読取装置。
【請求項１２】
請求項１０または１１の画像読取装置において、
上記モードの実行の指示を入力する入力部を備えることを特徴とする画像読取装置。
【請求項１３】
画像読取対象物から画像に関する情報を読み取る画像読取手段と、
該画像読取手段が読み取った該情報に基づいて画像を形成する画像形成手段とを備えた画像形成装置において、
該画像読取手段として、請求項１、２、３、４、５、６、７、８、９、１０、１１または１２の画像読取装置を設けたことを特徴とする画像形成装置。
【発明の詳細な説明】
【技術分野】
【０００１】
本発明は、画像が記録された原稿に光を照射して得た光学像を読み取るスキャナ等の画像読取装置、及び、これを備えた複写機やファクシミリ等の画像形成装置に関するものである。
【背景技術】
【０００２】
従来、画像読取装置の光源としてキセノンランプが用いられているが、キセノンランプは消費電力が大きく発熱量も多いため、近年の省エネルギー化や画像読取装置の長寿命化等の要求に十分に応えることができない。そのため、キセノンランプよりも、消費電力が小さく発熱量が小さいＬＥＤ（Ｌｉｇｈｔ  Ｅｍｉｔｔｉｎｇ  Ｄｉｏｄｅ）を光源として用いた画像読取装置が提案されている。
【０００３】
特許文献１に記載の画像読取装置では、図２０に示すように一つの基板上に光源となるすべてのＬＥＤをアレイ状に列設して、各々のＬＥＤを上記基板上に実装している。
【０００４】
【特許文献１】特開２００６−２５３０３号公報
【発明の開示】
【発明が解決しようとする課題】
【０００５】
しかしながら、特許文献１に記載の画像読取装置のように、一つの基板上に光源となるすべてのＬＥＤを実装した構成では、基板上に設置したＬＥＤが寿命や故障などで一個でも点灯しなくなってしまうと、基板ごと、つまり、使用可能なＬＥＤも含めてすべてのＬＥＤを交換することになる。そのため、まだ使用可能なＬＥＤまでもが交換されてしまい、無駄が発生してしまう。
【０００６】
本発明は、以上の問題に鑑みなされたものであり、その目的とするところは、使用可能なＬＥＤが無駄に交換されるのを抑制できる画像読取装置、及び、その画像読取装置を備えた画像形成装置を提供することである。
【課題を解決するための手段】
【０００７】
上記目的を達成するために、請求項１の発明は、画像読取対象物に光を照射する光源部と、該画像読取対象物で反射した反射光を受光して該画像読取対象物を撮像する撮像手段とを備えた画像読取装置において、該光源部は、少なくとも１個の発光素子をそれぞれ有する互いに別個の複数の光照射体と、該複数の光照射体を着脱可能に保持する保持部材とを備えることを特徴とするものである。
また、請求項２の発明は、請求項１の画像読取装置において、上記複数の光照射体が、それぞれ個別に上記保持部材に対して着脱可能であることを特徴とするものである。
また、請求項３の発明は、請求項１の画像読取装置において、上記複数の光照射体は、隣接する光照射体同士を着脱可能に連結させる連結部をそれぞれ有しており、該複数の光照射体が該連結部で連結された状態で上記保持部材に対して着脱可能であることを特徴とするものである。
また、請求項４の発明は、請求項３の画像読取装置において、上記連結部を介して上記複数の光照射体のそれぞれに電流が供給されるように構成したことを特徴とするものである。
また、請求項５の発明は、請求項１、２、３または４の画像読取装置において、上記複数の光照射体のそれぞれの基板サイズと、該複数の光照射体にそれぞれ実装される発光素子の数とが同一であることを特徴とするものである。
また、請求項６の発明は、請求項５の画像読取装置において、上記光源部に設けられるすべての発光素子の発光輝度が、同一または略同一であることを特徴とするものである。
また、請求項７の発明は、請求項１、２、３、４、５または６の画像読取装置において、隣接する光照射体の間に隙間が空いた状態で、上記複数の光照射体が上記保持部材に保持されるように構成したことを特徴とするものである。
また、請求項８の発明は、請求項１、２、３、４、５、６または７の画像読取装置において、上記発光素子は上記光照射体上に等間隔で配置されており、該光照射体上の発光素子の配置間隔と、隣接する２つの光照射体の間をまたいで隣り合う発光素子の配置間隔とが同じになるように構成したことを特徴とするものである。
また、請求項９の発明は、請求項１、２、３、４、５、６、７または８の画像読取装置において、上記複数の光照射体は、それぞれ独立して点灯可能なように構成されていることを特徴とするものである。
また、請求項１０の発明は、請求項１、２、３、４、５、６、７、８または９の画像読取装置において、上記画像読取対象物を平面的に定置するガラス部材と、該ガラス部材の該画像読取対象物の設置面に沿って移動可能な、少なくとも上記光源部を有する走行体とを有しており、画像読取動作時以外に該走行体を該ガラス部材と対向する位置に移動して、該光源部を点灯するモードを備えることを特徴とするものである。
また、請求項１１の発明は、請求項１０の画像読取装置において、上記モード中の発光素子の発光出力が、画像読取動作時の該発光出力よりも低くなるように構成したことを特徴とするものである。
また、請求項１２の発明は、請求項１０または１１の画像読取装置において、上記モードの実行の指示を入力する入力部を備えることを特徴とするものである。
また、請求項１３の発明は、画像読取対象物から画像に関する情報を読み取る画像読取手段と、該画像読取手段が読み取った該情報に基づいて画像を形成する画像形成手段とを備えた画像形成装置において、該画像読取手段として、請求項１、２、３、４、５、６、７、８、９、１０、１１または１２の画像読取装置を設けたことを特徴とするものである。
【０００８】
本発明においては、光源部が、少なくとも１個の発光素子をそれぞれ有する互いに別個の複数の光照射体を保持部材に対して着脱可能に構成したものなので、寿命や故障などにより点灯しなくなった発光素子があったとしても、その発光素子が配置された光照射体のみを交換することができる。よって、点灯しなくなった発光素子を交換する際に、一つの基板上に光源となるすべての発光素子を実装した光照射体ごと交換する場合よりも、まだ使用可能な発光素子が無駄に交換されるのを抑制することができる。
【発明の効果】
【０００９】
以上、本発明によれば、まだ使用可能なＬＥＤが無駄に交換されるのを抑制できるという優れた効果がある。
【発明を実施するための最良の形態】
【００１０】
［実施形態１］
以下、本発明を、電子写真方式の画像形成装置である複写機（以下、単に複写機という）に適用した一実施形態について説明する。
まず、本実施形態に係る複写機の基本的な構成について説明する。図２は、本複写機を示す概略構成図である。この複写機は、画像形成部１と、白紙供給装置４０と、原稿搬送読取ユニット５０とを備えている。原稿搬送読取ユニット５０は、画像形成部１の上に固定された画像読取装置たるスキャナ１５０と、これに支持される原稿搬送装置たるＡＤＦ５１とを有している。
【００１１】
白紙供給装置４０は、ペーパーバンク４１内に多段に配設された２つの給紙カセット４２、給紙カセット４２から記録材たる記録紙を送り出す送出ローラ４３、送り出された記録紙を分離して給紙路４４に供給する分離ローラ４５等を有している。また、複写機の給紙路３７に記録紙を搬送する複数の搬送ローラ４６等も有している。そして、給紙カセット４２内の記録紙を複写機内の給紙路３７内に給紙する。
【００１２】
複写機は、光書込装置２や、Ｋ，Ｙ，Ｍ，Ｃ色のトナー像を形成する４つのプロセスユニット３Ｋ，３Ｙ，３Ｍ，３Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，３Ｙ，３Ｍ，３Ｃの感光体４Ｋ，４Ｙ，４Ｍ，４Ｃに向けてレーザー光Ｌを照射する。この照射により、ドラム状の感光体４Ｋ，４Ｙ，４Ｍ，４Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００１３】
図３は、複写機の内部構成の一部を拡大して示す部分拡大構成図である。同図において、プロセスユニット３Ｋ，３Ｙ，３Ｍ，３Ｃは、それぞれ、感光体とその周囲に配設される各種装置とを１つのユニットとして共通の支持体に支持するものであり、複写機本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５Ｋなども有している。本複写機では、４つのプロセスユニット３Ｋ，３Ｙ，３Ｍ，３Ｃを、後述する中間転写ベルト２５に対してその無端移動方向に沿って並べるように対向配設したいわゆるタンデム型の構成になっている。
【００１４】
図４は、４つのプロセスユニット３Ｋ，３Ｙ，３Ｍ，３Ｃからなるタンデム部の一部を示す部分拡大図である。４つのプロセスユニット３Ｋ，３Ｙ，３Ｍ，３Ｃは、それぞれ使用するトナーの色が異なる他は同様の構成になっているので、同図においては各符号に付すＫ，Ｙ，Ｍ，Ｃという添字を省略している。同図に示すように、プロセスユニット３は、感光体４の周りに、帯電装置２３、現像装置６、ドラムクリーニング装置１５、除電ランプ２２等を有している。
【００１５】
感光体４としては、アルミニウム等の素管に、感光性を有する有機感光材の塗布による感光層を形成したドラム状のものを用いている。但し、無端ベルト状のものを用いても良い。
【００１６】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００１７】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。
【００１８】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００１９】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２０】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置に受け渡す。リサイクル搬送装置は、受け渡されたトナーを現像装置１５に送ってリサイクルする。
【００２１】
除電ランプ２２は、光照射によって感光体４を除電する。除電された感光体４の表面は、帯電装置５によって一様に帯電せしめられた後、光書込装置２による光書込処理がなされる。なお、帯電装置５としては、帯電バイアスが印加される帯電ローラを感光体４に当接させながら回転させるものを用いている。感光体４に対して非接触で帯電処理を行うスコロトロンチャージャ等を用いてもよい。
【００２２】
先に示した図３において、４つのプロセスユニット３Ｋ，３Ｙ，３Ｍ，３Ｃの感光体４Ｋ，４Ｙ，４Ｍ，４Ｃには、これまで説明してきたプロセスによって４Ｋ，４Ｙ，４Ｍ，４Ｃトナー像が形成される。
【００２３】
４つのプロセスユニット３Ｋ，３Ｙ，３Ｍ，３Ｃの下方には、転写ユニット２４が配設されている。この転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ，Ｙ，Ｍ，Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００２４】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２５】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２６】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００２７】
定着装置３４に搬送された記録紙は、定着装置３４内における加圧や加熱によってフルカラー画像が定着させしめられた後、定着装置３４から排紙ローラ対３５に送られた後、機外へと排出される。
【００２８】
先に示した図２において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００２９】
複写機の上に固定されたスキャナ１５０は、固定読取部１５１と、移動読取部１５２とを有している。光源、反射ミラー、ＣＣＤなどを有する固定読取部１５１は、原稿ＭＳに接触するようにスキャナ１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて撮像手段たるＣＣＤ２２１で受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００３０】
一方、移動読取部１５２は、原稿ＭＳに接触するようにスキャナ１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿ＭＳで反射させる。この反射によって得られた光学像は、複数の反射ミラーと、スキャナ本体に固定された結像レンズとを経由した後、撮像手段たるＣＣＤ２２１によって読み取られる。このように、移動読取部１５２は、移動光学系を移動させながら、第２コンタクトガラス上で静止している原稿ＭＳの画像を読み取る。
【００３１】
スキャナ１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図５に示すように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿ＭＳを１枚ずつ分離することができないため、ＡＤＦ５１による搬送を行うことができない。そこで、片綴じ原稿の場合には、ＡＤＦ５１を図５に示すように開いた後、読み取らせたいページが見開かれた片綴じ原稿を下向きにして第２コンタクトガラス１５５上に載せた後、ＡＤＦ５１を閉じる。そして、図２に示したスキャナ１５０の移動読取部１５２によってそのページの画像を読み取らせる。
【００３２】
一方、互いに独立した複数の原稿ＭＳを単に積み重ねた原稿束の場合には、その原稿ＭＳをＡＤＦ５１によって１枚ずつ自動搬送しながら、スキャナ１５０の固定読取部１５１に順次読み取らせていくことができる。この場合、原稿束を原稿載置台５３上にセットした後、操作部１４０のコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ１５０の固定読取部１５１の真上に通す。このとき、原稿ＭＳの画像がスキャナ１５０の固定読取部１５１によって読み取られる。
【００３３】
次に、スキャナ部１５０のうち、移動読取部について、図６、図７を用いて説明する。
図６は、スキャナ１５０の移動読取部（図２の１５２）を斜め上方から示した斜視図である。なお、便宜上、上述の第２コンタクトガラス１５５の図示を省略している。図７は、スキャナ１５０の移動読取部をその側方から示す拡大構成図である。図に示すように、スキャナ１５０の筐体１６０内には、第１キャリッジ１６２、第２キャリッジ１６３が設けられている。第１キャリッジ１６２は、複数の発光素子たる発光ダイオード（以下、ＬＥＤ）４０１がアレイ状に配列された光源部１９０と、第１ミラー１６２ｂとを備えている。なお、第１キャリッジ１６２の詳細については、後述する。第２キャリッジ１６３は、第２ミラー１６３ａと、第３ミラー１６３ｂとを備えている。
【００３４】
スキャナ１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。
また、筐体１６０には、金属製の梁板１６４が固定されており、金属製の梁板１６４には、その上面にネジ固定された結像レンズ２００を備えたレンズユニット２１０や、これに固定されたＣＣＤ２２１を備えた電子回路基板たるスキャナボードユニット２２０（以下、ＳＢＵ２２０という）を支持している。
【００３５】
図６に示すように、図中右上には、駆動モータ１７０が設けられており、駆動モータ１７０の駆動ギヤと噛み合う従動ギヤ１７１の回転軸には、駆動タイミングプーリ１７２が固定されている。また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００３６】
第２キャリッジ１６３は、第２ミラー１６３ａ、第３ミラー１６３ｂの主走査方向両端を支持する一対のミラーステー部１６３ｃと、このミラーステー部１６３ｃからそれぞれ第１キャリッジ側に延びるアーム部１６３ｄとを有している。また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。第３プーリ１８３、第４プーリ１８４には、第２タイミングベルト１８５が張架されており、この第２タイミングベルト１８５の一部は、図示しない固定部材によって筐体１６０の底部に固定されている。
【００３７】
また、第１タイミングベルト１８２、第２タイミングベルト１８５は、第１キャリッジ１６２の底部にそれぞれ固定されている。
【００３８】
画像読取がスタートすると、光源部１９０によって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。回転軸１７３が回転することで、第１タイミングベルト１８２が図中時計回りに回転する。これにより、第１タイミングベルト１８２に固定されている第１キャリッジ１６２が図中左側から右側へ移動する。また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。ここで、第３、第４プーリ１８３、１８４の径は、第１、第２プーリの径の２倍となっているため、第２キャリッジ１６３は、第１キャリッジ１６２の１／２の速度で、図中右側へ移動する。このように、第２キャリッジ１６３は、第１キャリッジ１６２の半分の速度で第１キャリッジと同方向へ移動することで、原稿面から結像レンズ２００までの光束の光路長が変化しないようになっている。
【００３９】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００４０】
第１、第２キャリッジ１６２、１６３を図中左側から右側に２：１の速度比で移動させていく過程で、光源部１９０から発した光を第２コンタクトガラス１５５上に載置された図示しない原稿ＭＳで反射させる。この反射によって得られた光学像は、第１ミラー１６２ｂ、第２ミラー１６３ａ、第３ミラー１６３ｃを介して、結像レンズ２００に導かれ、撮像手段であるＣＣＤ２２１上に結像される。
【００４１】
ＣＣＤ２２１は、結像された原稿ＭＳの反射光像を光電変換して読取画像であるアナログ画像信号を出力する。そして、第１、第２キャリッジ１６２、１６３が図７の点線に示す位置まで移動したら、原稿ＭＳの読み取りを終了し、第１キャリッジ１６２と第２キャリッジ１６３は図中実線で示すホームポジション位置に復動する。なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００４２】
図８は、従来の画像読取装置における第１キャリッジ１６２の光源部１９０付近の拡大構成図であり、図９は、その光源部１９０の斜視図である。図に示すように、光源部１９０は、発光素子である複数のＬＥＤ４０１を平板状部材としての回路基板であるＬＥＤアレイ基板１０２上に一列に配置させたＬＥＤアレイ１００を有している。ＬＥＤアレイ基板１０２は、その長手方向が、第１キャリッジ１６２の走行方向に対して直交する方向であって略水平方向に延びるように、すなわち、原稿ＭＳの主走査方向に延びるように配置される。複数のＬＥＤ４０１は、ＬＥＤアレイ基板１０２上に上記主走査方向に沿って一列に並んで配置されている。ＬＥＤアレイ基板１０２には、各ＬＥＤ４０１に電力を供給するための図示しない配線パターン及び各種回路素子が形成されている。なお、ＬＥＤアレイ基板１０２は設置台１０３に保持・固定されている。
【００４３】
図１０は、図７に示した画像読取装置を上から（図７の矢印Ａ方向から）見た際の原稿載置部の平面図である。この図は最大原稿載置可能サイズがＡ３サイズの場合の図であるが、図中の斜線部はＡ３サイズの原稿ＭＳを表し縦２９７ｍｍ、横４２０ｍｍである。なお、原稿ＭＳは、主走査方向の原稿載置基準であるスケール１１２、副走査方向の原稿載置基準であるスケール１１３に突き当てるように第２コンタクトガラス１５５上に載置される。この場合のＬＥＤアレイ基板１０２の長手幅は２９７ｍｍ＋αであり、これは原稿載置部の主走査方向の最大載置可能サイズに余裕分αをプラスしたものである。
【００４４】
次に、本実施形態の特徴部分について説明する。
従来の画像読取装置のように、一つのＬＥＤアレイ基板１０２上に複数のＬＥＤ４０１を上記主走査方向に設置してＬＥＤアレイ１００とした場合、そのＬＥＤアレイ１００のＬＥＤアレイ基板１０２上に配置したＬＥＤ４０１が一個故障した際に、ＬＥＤアレイ１００ごと、つまり、故障していないＬＥＤ４０１も含めてすべてのＬＥＤ４０１を取り替える必要がある。
【００４５】
そこで、本実施形態においては、図１１に示したＬＥＤ４０１の搭載ベースとなるＬＥＤアレイ基板４０２にＬＥＤ４０１を５個搭載した光照射体であるＬＥＤアレイ４００を複数個用意し、図１に示すように設置台４０３上にそれらＬＥＤアレイ４００を主走査方向に５個配列している。なお、図１１は第２コンタクトガラス１５５上への載置可能原稿サイズがＡ３サイズの場合を示したものであるが、この場合のＬＥＤアレイ４００ａの端部からＬＥＤアレイ４００ｅの端部までの幅は約３２０ｍｍとなっている。また、ＬＥＤアレイ基板４０２にはネジ穴４０８が空いており、ネジによってＬＥＤアレイ４００を設置台４０３に着脱可能に保持・固定している。これにより、ＬＥＤアレイ４００を交換する際に工具としてドライバーを用いるだけで簡単にＬＥＤアレイ４００を設置台４０３から着脱することができるので、ＬＥＤアレイ４００交換作業の作業効率が向上する。
【００４６】
また、各ＬＥＤアレイ４００にはそれぞれに対応したコネクタ４０４及びハーネスにより個別に電流を供給可能なようにし、故障したＬＥＤ４０１が配置されたＬＥＤアレイ４００のみを取り替えることが可能な構成にしている。なお、ＬＥＤアレイ基板４０２上には図示されていないが、コネクタ４０４から電源供給を行うための配線パターンが引かれたり、抵抗などの周辺回路素子が配置されている。なお、特に断りがない場合は、各ＬＥＤアレイ４００に供給される電流の電流値は同じものとするが、言うまでもなく、各ＬＥＤ４００間で上記電流値を異ならせても構わない。
【００４７】
よって、本実施形態においては、上述したような構成とすることによって、例えば、図１に点線で囲んで示したＬＥＤアレイ４００ｂの図中左から２番目のＬＥＤ４０１が故障などにより点灯しなくなったとしても、ＬＥＤアレイ４００ｂのみを交換することができる。そのため、従来の画像読取装置のように、１枚の基板上にＬＥＤ４０１がすべて実装されている構成よりも、交換時に無駄になるＬＥＤ４０１の個数を圧倒的に減らすことができる。
【００４８】
また、本実施形態では設置台４０３上に５個のＬＥＤアレイ４００を配置しているが、その数は４個から６個が望ましい。設置台４０３上のＬＥＤアレイ４００の数を多くすると、ＬＥＤアレイ４００に電流を供給する電源供給用のケーブル数が増えて第１キャリッジ１６２の走行時の邪魔となったり、走行時の第１キャリッジに必要以上の負荷が加わり、第１キャリッジの異常停止の原因となってしまう。
【００４９】
一方、本実施形態のように、第２コンタクトガラス１５５上への載置可能原稿サイズがＡ３サイズまで可能な複写機の場合、ＬＥＤアレイ４００の数が４個以上で、ＬＥＤアレイ基板４０２上に設置するＬＥＤ４０１の数とＬＥＤアレイ基板４０２のサイズとが同一であれば、ＬＥＤ４０１またはＬＥＤアレイ４００の急な故障や交換品の在庫がないときでも応急処置をすることができる。例えば、図５のＬＥＤアレイ４００ｂ上に設置したＬＥＤ４０１の１個だけが故障し点灯しなくなった場合、ＬＥＤアレイ４００ｂと、すべてのＬＥＤ４０１が正常なＬＥＤアレイ４００ｅとの設置台４０３に対する配置位置を変えることにより、Ａ３縦（２９７ｍｍ）よりも若干幅が小さいＢ４（２５７ｍｍ）幅や、少なくともＡ４横（幅２１０ｍｍ）の読み取り範囲におけるＬＥＤ４０１はすべて正常に点灯するので、正常な読み取りを行うことができる。
【００５０】
また、ＬＥＤ４０１は一般に製造時のばらつきにより発光輝度にばらつきを持っている。それを規定するのが発光輝度のランク分けであるが、本実施形態においては、図１１のＬＥＤアレイ４００のＬＥＤアレイ基板４０２上に設けた５個のＬＥＤ４０１の発光ランクをすべて同一のものとし、且つ、図１に示すＬＥＤアレイ４００ａからＬＥＤアレイ４００ｅまでのすべてのＬＥＤアレイ４００においてもＬＥＤ４０１の発光ランクを同一ランクとしている。これにより、上記応急処置を行ったとしても、常に同じ品質で画像の読み取りを行うことができる。
【００５１】
また、図１に示した各ＬＥＤアレイ４００にコネクタ４０４を介して接続されている電源供給ケーブルは、各々独立して装置本体側の電源に繋がっている。そのため、各ＬＥＤアレイ４００は各々独立して点灯可能である。よって、前述したような応急処置の際に故障したＬＥＤ４０１を含むＬＥＤアレイ４００に設けた他のＬＥＤ４０１をすべて消すことができるので、画像の読み取りに寄与しないＬＥＤ４０１を無駄に点灯しなくて済む。なお、点灯装置、電源（１００Ｖから２４Ｖへの変換を含む）はごく一般的なものであるため図示していない。
【００５２】
また、本実施形態においては、図１に示すようにＬＥＤアレイ４００ａとＬＥＤアレイ４００ｂとの間、ＬＥＤアレイ４００ｂとＬＥＤアレイ４００ｃとの間、ＬＥＤアレイ４００ｃとＬＥＤアレイ４００ｄとの間、及び、ＬＥＤアレイ４００ｄとＬＥＤアレイ４００ｅとの間のそれぞれに隙間ｔを設けている。近年の生産性（複写枚数など）の向上によりＬＥＤアレイ４００は、より高い照度が必要とされている。ＬＥＤアレイ４００の照度を高くするためには、ＬＥＤ４０１に大きな電流を流すことや、ＬＥＤアレイ４００上のＬＥＤ４０１の集積密度を高くするといった対応がとられ、結果、照度は高くなるもののＬＥＤ４０１の発熱量が増え、ＬＥＤ４０１及びＬＥＤアレイ基板４０２の温度が上昇する。その温度上昇により物理的な現象としてＬＤアレイ基板４０２は少なからず膨張する。仮に、隣り合うＬＥＤアレイ４００間に隙間ｔがない場合では、隣り合うＬＥＤアレイ基板４０２同士が熱膨張により接触し、ＬＥＤアレイ基板４０２にストレスが加わり変形してしまう。このように、ＬＥＤアレイ基板４０２が変形すると、正確に位置決めされていた各ＬＥＤアレイ４００間の位置関係が崩れることになる。そのため、照度リップルの悪化や、繰り返しの温度変化による配線パターン疲労切断による故障が発生してしまう。
【００５３】
よって、本実施形態のように、隣り合うＬＥＤアレイ４００間に隙間ｔを設けることで、熱膨張による隣り合うＬＥＤアレイ基板４０２の接触を防ぐことができるので、ＬＥＤアレイ基板４０２が変形することが無く、温度変動の少ない良好な照度リップルを確保できたり、配線パターン疲労切断による故障を抑制することができる。
【００５４】
また、図１２に示すように、ＬＥＤアレイ４００上での隣り合うＬＥＤ４０１の配置間隔をＰとし、図中点線で囲んだＬＥＤアレイ４００ａにおける図中右端のＬＥＤ４０１と、ＬＥＤアレイ４００ｂにおける図中左端のＬＥＤ４０１との隙間をＱとしたとき、Ｐ＝Ｑとなるように構成すると良い。このような構成にすることによって、設置台４０３に複数個のＬＥＤアレイ４００を設けても、光源部１９０全体でみれば、すべてのＬＥＤ４０１が等間隔に配置されているので、照度リップルを悪化させることがない。
【００５５】
また、本実施形態では、画像読取以外のときに、第２コンタクトガラス１５５の原稿載置可能領域に第１キャリッジ１６２を移動させ、すべてのＬＥＤ４０１を点灯させるモードを有している。なお、このモードは、操作部１４０に設けたボタンを押すだけで上記モードを実行させることができるようにしている。これにより、簡単な操作で上記モードを実行することができ、例えばユーザーによって、ＬＥＤ４０１の点灯の目視が可能な原稿載置可能領域に第１キャリッジ１６２を移動し、すべてのＬＥＤ４０１を点灯することによって、ＬＥＤ４０１の故障個所を安易に見つけることができる。つまり、ＬＥＤアレイ４００へのアクセスが可能になるくらいまで、装置本体を分解せずにＬＥＤ４０１の故障箇所を特定することができる。
【００５６】
さらに、上記モード時、つまり、上記ＬＥＤ４０１の故障を目視で確認する場合などの画像読取動作以外のときに、第１キャリッジ１６２を上記原稿載置可能領域に移動させる際には、ＬＥＤ４０１の発光出力を通常の画像読取時動作のときよりも、かなり低めにしてＬＥＤ４０１を点灯するように構成しても良い。例えばＬＥＤ４０１の故障をユーザーやサービスマンが目視で確認しようとした際に、ＬＥＤ４０１の発光出力が通常読取時と同様の発光出力であったならば、ＬＥＤ４０１の発光出力が強すぎて、ユーザーやサービスマンの目がくらんだり、目を痛める恐れがある。上記目視によるＬＥＤ４０１の故障確認はＬＥＤ４０１が発光しているか否かの確認ができれば良いので、ＬＥＤ４０１の発光が確認できる程度にほんの軽くＬＥＤ４０１を点灯させるだけで良い。よって、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
【００５７】
［実施形態２］
本実施形態において、複写機の基本的な構成は実施形態１で説明したものと同じであるので、その説明は省略する。
【００５８】
次に、本実施形態の特徴部分について説明する。
図１３はＬＥＤ４０１の搭載ベースとなるＬＥＤアレイ基板４２２にＬＥＤ４０１を５個搭載した光照射体であるＬＥＤアレイ４２０である。また、ＬＥＤアレイ基板４２２上には図１３に示すオスコネクタ４０９とメスコネクタ４１０とを介して装置本体に設けられた電源からＬＥＤアレイ４２０に電源供給を行うための電源供給ライン５００などの配線パターンが引かれたり、抵抗などの図示していない周辺回路素子が配置されている。なお、ＬＥＤアレイ４２０は図１４に示すように、隣り合うＬＥＤアレイ４２０間で連結部を構成するオスコネクタ４０９とメスコネクタ４１０とが嵌合することにより連結される。また、ＬＥＤアレイ４２０ａのオスコネクタ４０９ａとＬＥＤアレイ４２０ｅのメスコネクタ４１０ｅとは、装置本体側に設けられた電源と繋がった給電コネクタ４１１、４１２とにそれぞれ嵌合し、その給電コネクタ４１１、４１２から各ＬＥＤアレイ４２０に設けたオスコネクタ４０９、メスコネクタ４１０および電源供給ライン５００などを介して各ＬＥＤアレイ４２０に電流が供給される。また、ＬＥＤアレイ基板４２２には、ネジによってＬＥＤアレイ４２０を設置台４０３に対し着脱可能に保持・固定するための固定用のネジ穴４０８が設けられているが、すべてのネジ穴４０８を使用して各ＬＥＤアレイ４２０を設置台４０３に固定する必要は無く、オスコネクタ４０９とメスコネクタ４１０によって連結され一体化したＬＥＤアレイの両端部にあるネジ穴４０８のみ、あるいは、上記両端部と上記一体化したＬＥＤ４００の中央部となど、適時に使用ヶ所を決めれば良い。
【００５９】
上述したような構成とすることにより、例えば図１４に示すように、ＬＥＤアレイ４２０が５個連結されていて、ＬＥＤアレイ４２０ｂの図中左から２番目のＬＥＤ４０１か故障し点灯しなくなったとしても、ＬＥＤアレイ４２０ｂのみを交換することが可能であり、そのため、従来の画像読取装置のように、１枚の基板上に必要ＬＥＤがすべて実装されている構成よりも、交換時に無駄になるＬＥＤ４０１の個数を圧倒的に減らすことができる。
【００６０】
図１４は第２コンタクトガラス１５５上への載置可能原稿サイズがＡ３サイズの場合を示したものであるが、図１３で示したＬＥＤアレイ４２０を設置台４０３上に主走査方向に５個配列したものであり、ＬＥＤアレイ４２０ａの端部からＬＥＤアレイ４２０ｅの端部までの幅はこの場合約３２０ｍｍとなっている。なお、図１４に示したＬＥＤアレイ４２０ａからＬＥＤアレイ４２０ｅは、ＬＥＤアレイ基板４２２上に設置するＬＥＤ４０１の数とＬＥＤアレイ基板４２２のサイズとを同一にしてある。また、本実施形態では設置台４０３上に５個のＬＥＤアレイ４２０を連結して配置しているが、その数は４個以上が望ましい。つまり、本実施形態のように、ＬＥＤアレイ４２０の数が４個以上で、ＬＥＤアレイ基板４２２上に設置するＬＥＤ４０１の数とＬＥＤアレイ基板４２２のサイズとが同一であれば、ＬＥＤ４０１またはＬＥＤアレイ４２０の急な故障や交換品の在庫がないときでも応急処置をすることができる。例えば、図１４のＬＥＤアレイ４２０ｂ上に設置したＬＥＤ４０１の１個だけが故障し点灯しなくなった場合、ＬＥＤアレイ４２０ｂと、すべてのＬＥＤ４０１が正常なＬＥＤアレイ４２０ｅとの設置台４０３に対する配置位置を変えることにより、実使用上では画像形成される画像の端部近傍は余白となるため、Ａ３縦（２９７ｍｍ）よりも若干幅が小さいＢ４（２５７ｍｍ）幅や、少なくともＡ４横（幅２１０ｍｍ）の読み取り範囲におけるＬＥＤ４０１はすべて正常に点灯するので、正常な読み取りを行うことができる。
【００６１】
また、ＬＥＤ４０１は一般に製造時のばらつきにより発光輝度にばらつきを持っている。それを規定するのが発光輝度のランク分けであるが、本実施形態においては、図１３のＬＥＤアレイ４２０のＬＥＤアレイ基板４２２上に設けた５個のＬＥＤ４０１の発光ランクをすべて同一のものとし、且つ、図１４に示すＬＥＤアレイ４２０ａからＬＥＤアレイ４２０ｅまでのすべてのＬＥＤアレイ４２０においてもＬＥＤ４０１の発光ランクを同一ランクとしている。これにより、上記応急処置を行ったとしても、常に同じ品質で画像の読み取りを行うことができる。
【００６２】
また、図１３に示すように、ＬＥＤアレイ４２０上では電源供給ライン５００から並列に各ＬＥＤ４０１へ電源を供給しているので、各ＬＥＤ４０１は各々独立して点灯可能となっている。なお、図１５に示すように、各ＬＥＤアレイ４２０に電流の供給を制御する制御チップ５０１と、その制御チップ５０１に装置本体からの制御信号を伝える制御信号ラインとを設けて、各ＬＥＤ４０１への電源供給の制御を行っても良い。このように、各ＬＥＤ４０１を各々独立して点灯可能とすることで、前述したような応急処置の際に故障したＬＥＤ４０１を含むＬＥＤアレイ４２０に設けた他のＬＥＤ４０１をすべて消すことができ、画像の読み取りに寄与しないＬＥＤ４０１を無駄に点灯しなくて済む。なお、点灯装置、電源（１００Ｖから２４Ｖへの変換を含む）はごく一般的なものであるため図示していない。
【００６３】
また、本実施形態においては、図１４に示すようにＬＥＤアレイ４２０ａとＬＥＤアレイ４２０ｂとの間、ＬＥＤアレイ４２０ｂとＬＥＤアレイ４２０ｃとの間、ＬＥＤアレイ４２０ｃとＬＥＤアレイ４２０ｄとの間、及び、ＬＥＤアレイ４２０ｄとＬＥＤアレイ４２０ｅとの間のそれぞれに隙間ｔ´を設けている。近年の生産性（複写枚数など）の向上によりＬＥＤアレイ４２０は、より高い照度が必要とされている。ＬＥＤアレイ４２０の照度を高くするためには、ＬＥＤ４０１に大きな電流を流すことや、ＬＥＤアレイ４２０上のＬＥＤ４０１の集積密度を高くするといった対応がとられ、結果、照度は高くなるもののＬＥＤ４０１の発熱量が増え、ＬＥＤ４０１及びＬＥＤアレイ基板４２２（特にＬＥＤ４０１近傍部分のＬＥＤアレイ基板４２２）の温度が上昇する。その温度上昇により物理的な現象としてＬＤアレイ基板４０２は少なからず膨張する。仮に、隣り合うＬＥＤアレイ４２０間に隙間ｔ´がない場合では、ＬＥＤアレイ基板４２２同士が熱膨張により接触し、ＬＥＤアレイ基板４２２にストレスが加わり変形してしまう。このように、ＬＥＤアレイ基板４２２の変形により、正確に位置決めされていた各ＬＥＤアレイ４２０の位置関係が崩れることになる。そのため、照度リップルの悪化や、繰り返しの温度変化による配線パターン疲労切断による故障が発生してしまう。
【００６４】
よって、本実施形態のように、隣り合うＬＥＤアレイ４２０間に隙間ｔ´を設けることで、熱膨張による隣り合うＬＥＤアレイ基板４２２の接触を防ぐことができるので、温度変動の少ない良好な照度リップルを確保できたり、配線パターン疲労切断による故障を抑制することができる。
【００６５】
また、図１６に示すように、ＬＥＤアレイ４２０上での隣り合うＬＥＤ４０１の配置間隔をＰ´とし、図中点線で囲んだＬＥＤアレイ４２０ａにおける図中右端のＬＥＤ４０１と、ＬＥＤアレイ４２０ｂにおける図中左端のＬＥＤ４０１との隙間をＱ´とすると、Ｐ´＝Ｑ´となるように構成すると良い。このような構成にすることによって、設置台４０３に複数個のＬＥＤアレイ４２０を設けても、光源部１９０全体でみれば、すべてのＬＥＤ４０１が等間隔に配置されているので、照度リップルを悪化させることがない。
【００６６】
また、本実施形態では、画像読取以外のときに、第２コンタクトガラス１５５の原稿載置可能領域に第１キャリッジ１６２を移動させ、すべてのＬＥＤ４０１を点灯させるモードを有している。なお、このモードは、操作部１４０に設けたボタンを押すだけで上記モードを実行させることができるようにしている。これにより、簡単な操作で上記モードを実行することができ、例えばユーザーによって、ＬＥＤ４０１の点灯の目視が可能な原稿載置可能領域に第１キャリッジ１６２を移動し、すべてのＬＥＤ４０１を点灯することによって、ＬＥＤ４０１の故障個所を安易に見つけることができる。つまり、ＬＥＤアレイ４２０へのアクセスが可能になるくらいまで、装置本体を分解せずにＬＥＤ４０１の故障箇所を特定することができる。
【００６７】
さらに、上記モード時、つまり、上記ＬＥＤ４０１の故障を目視で確認する場合などの画像読取動作以外のときに、第１キャリッジ１６２を上記原稿載置可能領域に移動させる際には、ＬＥＤ４０１の発光出力を通常の画像読取時動作のときよりも、かなり低めにしてＬＥＤ４０１を点灯するように構成しても良い。例えばＬＥＤ４０１の故障をユーザーやサービスマンが目視で確認しようとした際に、ＬＥＤ４０１の発光出力が通常読取時と同様の発光出力であったならば、ＬＥＤ４０１の発光出力が強すぎて、ユーザーやサービスマンの目がくらんだり、目を痛める恐れがある。上記目視によるＬＥＤ４０１の故障確認はＬＥＤ４０１が発光しているか否かの確認ができれば良いので、ＬＥＤ４０１の発光が確認できる程度にほんの軽くＬＥＤ４０１を点灯させるだけで良い。よって、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
【００６８】
［変形例］
また、本実施形態において、図１７（ａ）、図１７（ｂ）に示すようにＬＥＤアレイ基板４３２に、連結・位置決め部である嵌合部５０５と被嵌合部５０６とを設け、図１８に示すように、隣り合うＬＥＤアレイ４３０を嵌合部５０５と被嵌合部５０６とで着脱可能に嵌合させて連結する構成にしても良い。また、嵌合部５０５と被嵌合部５０６とには、電源供給ライン５００も設けられており、各ＬＥＤアレイ４３０が嵌合部５０５と被嵌合部５０６とで嵌合した際に、それぞれの嵌合部５０５と被嵌合部５０６とに設けられた電源供給ライン５００が結線するようになっている。このような構成にした場合では、前述したオスコネクタ４０９とメスコネクタ４１０とをＬＥＤアレイ基板上に設ける必要がなく、また、オスコネクタ４０９とメスコネクタ４１０を用いて各ＬＥＤアレイを連結した場合よりも整列度をより精度良くして各ＬＥＤアレイ４３０を連結することができる。
【００６９】
また、図１７（ａ）に示したＬＥＤアレイ４３０では電源供給ライン５００から並列に各ＬＥＤ４０１へ電源供給しているので、各ＬＥＤ４０１は各々独立して点灯可能となっているが、図１９においては各ＬＥＤ４０１が独立ではなく各ＬＥＤアレイ４３０が独立して点灯可能に構成してある。これにより、回路構成が単純になり低コスト化が得られる。さらに、各ＬＥＤアレイ４３０を独立して点灯可能とした場合、前述したような応急処置の際に、故障したＬＥＤ４０１を含むＬＥＤアレイ４３０に設けられた他のＬＥＤ４０１のすべてを簡単に消すことができ、無駄にＬＥＤ４０１を点灯しなくてよい。
【００７０】
以上、各実施形態によれば、画像読取対象物である原稿ＭＳに光を照射する光源部１９０と、原稿ＭＳで反射した反射光を受光して原稿ＭＳを撮像する撮像手段であるＣＣＤ２２１とを備えた画像読取装置であるスキャナ１５０を備えた画像形成装置である複写機において、光源部１９０は、少なくとも１個の発光素子であるＬＥＤ４０１をそれぞれ有する互いに別個の複数の光照射体であるＬＥＤアレイ４００、ＬＥＤアレイ４２０またはＬＥＤアレイ４３０と、複数のＬＥＤアレイ４００、ＬＥＤアレイ４２０またはＬＥＤアレイ４３０を着脱可能に保持する保持部材である設置台４０３とを備えている。これにより、寿命などにより点灯しなくなったＬＥＤ４０１があったとしても、そのＬＥＤ４０１が配置されたＬＥＤアレイ４００、ＬＥＤアレイ４２０またはＬＥＤアレイ４３０のみを交換することができる。よって、必要以上に、まだ使用可能なＬＥＤ４０１が交換されるのを抑制することができる。
また、実施形態１によれば、複数のＬＥＤアレイ４００が、それぞれ個別に設置台４０３に対して着脱可能である。これにより、ＬＥＤアレイ４００の交換作業の際に、交換の対象となっているＬＥＤアレイ４００だけを着脱させれば良いので、交換作業の作業性が向上する。
また、実施形態２によれば、複数のＬＥＤアレイ４２０またはＬＥＤアレイ４３０は、隣接するＬＥＤアレイ４２０同士またはＬＥＤアレイ４３０同士を着脱可能に連結させる連結部をそれぞれ有しており、複数のＬＥＤアレイ４２０またはＬＥＤアレイ４３０が上記連結部で連結された状態で設置台４０３に対して着脱可能である。これにより、各ＬＥＤアレイ４２０またはＬＥＤアレイ４３０を設置台４０３に装着する際などに、例えば、連結されて一体化したＬＥＤアレイの両端部にあるネジ穴４０８を介してネジによって上記一体化されたＬＥＤアレイを設置台４０３に取り付けるだけで、簡単、且つ、位置決め精度良く複数のＬＥＤアレイ４２０またはＬＥＤアレイ４３０を設置台４０３に設置することができる。なお、隣り合うＬＥＤアレイ４２０またはＬＥＤアレイ４３０は上記連結部としての、オスコネクタ４０９とメスコネクタ４１０とを嵌合して連結したり、ＬＥＤアレイ基板４３２に設けられた嵌合部５０５と被嵌合部５０６とを嵌合して連結することができるが、隣り合うＬＥＤアレイの連結手段はこれらに限定されるものではない。
また、実施形態２によれば、上記連結部を介して複数のＬＥＤアレイ４２０またはＬＥＤアレイ４３０のそれぞれに電流が供給されるように構成している。これにより、各ＬＥＤアレイ４２０またはＬＥＤアレイ４３０毎に電源供給用のハーネスなどを取り付ける必要が無いので、多くのハーネスが装置本体内に存在することによる複雑化を抑制することができる。
また、各実施形態によれば、複数のＬＥＤアレイ４００、ＬＥＤアレイ４２０またはＬＥＤアレイ４３０のそれぞれＬＥＤアレイ基板４０２、ＬＥＤアレイ基板４２２またはＬＥＤアレイ基板４３２のサイズと、複数のＬＥＤアレイ４００、ＬＥＤアレイ４２０またはＬＥＤアレイ４３０にそれぞれ実装されるＬＥＤ４０１の数とが同一である。これにより、ＬＥＤ４０１やＬＥＤアレイ４００、ＬＥＤアレイ４２０またはＬＥＤアレイ４３０の急な故障や交換品の在庫がないときでも、応急処置として第２コンタクトガラス１５５の最大載置可能サイズよりも小さいサイズの読み取りが正常に行えるように、各ＬＥＤアレイ４００、ＬＥＤアレイ４２０またはＬＥＤアレイ４３０の配列を変更することができるので、完全に画像読取動作が行えなくならず、新しいＬＥＤアレイ４００、ＬＥＤアレイ４２０またはＬＥＤアレイ４３０への交換作業が終了するまでのマシンのダウンタイムを少なくすることができる。
また、各実施形態によれば、光源部１９０に設けられるすべてのＬＥＤ４０１の発光輝度が、同一または略同一である。これにより、応急処置として第２コンタクトガラス１５５の最大載置可能サイズよりも小さいサイズの読み取りが正常に行えるように、各ＬＥＤアレイ４００、ＬＥＤアレイ４２０またはＬＥＤアレイ４３０の配列を変更した場合でも、発光輝度が均一なので良好な読み取りを行うことができる。
また、各実施形態によれば、隣接するＬＥＤアレイ４００、ＬＥＤアレイ４２０またはＬＥＤアレイ４３０の間に隙間が空いた状態で、複数のＬＥＤアレイ４００、ＬＥＤアレイ４２０またはＬＥＤアレイ４３０が設置台４０３に保持されるように構成している。これにより、熱膨張による隣り合うＬＥＤアレイ４００、ＬＥＤアレイ４２０またはＬＥＤアレイ４３０のＬＥＤアレイ基板４０２、ＬＥＤアレイ基板４２２またはＬＥＤアレイ基板４３２の接触を防ぐことができるので、温度変動の少ない良好な照度リップルを確保でき、また、ＬＥＤアレイ基板４０２、ＬＥＤアレイ基板４２２またはＬＥＤアレイ基板４３２上の配線パターンが疲労切断されるのを抑制することができる。
また、各実施形態によれば、ＬＥＤ４０１はＬＥＤアレイ４００、ＬＥＤアレイ４２０またはＬＥＤアレイ４３０上に等間隔で配置されており、ＬＥＤアレイ４００、ＬＥＤアレイ４２０またはＬＥＤアレイ４３０上のＬＥＤ４０１の配置間隔と、隣接する２つのＬＥＤアレイ４００、ＬＥＤアレイ４２０またはＬＥＤアレイ４３０の間をまたいで隣り合うＬＥＤ４０１の配置間隔とが同じになるように構成している。これにより、光源部１９０を設置台４０３に複数個のＬＥＤアレイ４００、ＬＥＤアレイ４２０またはＬＥＤアレイ４３０を設けて構成しても、光源部１９０全体でみれば、すべてのＬＥＤ４０１が等間隔に配置されているので、照度リップルを悪化させることがない。
また、各実施形態によれば、上記複数のＬＥＤアレイ４００、ＬＥＤアレイ４２０またはＬＥＤアレイ４３０は、それぞれ独立して点灯可能なように構成されている。これにより、上記応急処置の際などに、故障したＬＥＤ４０１を含むＬＥＤアレイ４００、ＬＥＤアレイ４２０またはＬＥＤアレイ４３０上に設けられた他のＬＥＤ４０１をすべて消すことができるので、無駄にＬＥＤ４０１が点灯されるのを抑制することができ、省エネルギー化が行える。
また、各実施形態によれば、原稿ＭＳを平面的に定置するガラス部材である第２コンタクトガラス１５５と、第２コンタクトガラス１５５の原稿ＭＳの設置面である載置可能領域に沿って移動可能な、少なくとも光源部１９０を有する走行体である第１キャリッジ１６２とを有しており、画像読取動作時以外に第１キャリッジを上記載置可能領域と対向する位置に移動して、光源部１９０を点灯するモードを備えている。これにより、ユーザーによって光源部１９０のＬＥＤ４０１の点灯の目視が可能な上記原稿載置可能領域に第１キャリッジ１６２を移動し、光源部１９０のすべてのＬＥＤ４０１を点灯することによって、ＬＥＤ４０１の故障個所を安易に見つけることができる。
また、各実施形態によれば、上記モード中のＬＥＤ４０１の発光出力が、画像読取動作時の上記発光出力よりも低くなるように構成している。このように、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
また、各実施形態によれば、上記モードの実行の指示を入力する入力部である操作部１４０を備えている。これにより、上記モードを操作部１４０に設けたボタンを押すだけで簡単に上記モードを実行させることができるようにしているので、ＬＥＤ４０１の故障確認など作業効率を向上させることができる。
また、各実施形態によれば、原稿ＭＳから画像に関する情報を読み取る画像読取手段と、上記画像読取手段が読み取った上記情報に基づいて画像を形成する画像形成手段とを備えた画像形成装置である複写機において、上記画像読取手段として、本発明の画像読取装置を適用することにより、まだ使用可能なＬＥＤ４０１が無駄に交換されるのを抑制できる複写機を提供することが可能となる。
【００７１】
なお、各実施形態においては、複数のＬＥＤアレイ４００、ＬＥＤアレイ４２０またはＬＥＤアレイ４３０を直接、設置台４０３に設置しているが、別に、複数のＬＥＤアレイ４００、ＬＥＤアレイ４２０またはＬＥＤアレイ４３０を位置決めなどのベースとなる一枚の基板上に着脱可能に設置し、そのベースとなる基板が設置台４０３に保持・固定されるような構成にしてもかまわない。
【図面の簡単な説明】
【００７２】
【図１】本発明の特徴部分の概略構成図。
【図２】本実施形態に係る複写機の概略構成図。
【図３】同複写機における内部構成の一部を拡大して示す部分拡大構成。
【図４】同複写機のタンデム部の一部を示す部分拡大図。
【図５】同複写機のＡＤＦ及びスキャナを示す斜視図。
【図６】同スキャナを部分的に示す部分斜視図。
【図７】同スキャナの移動読取部をその側方から示す構成図。
【図８】複数のＬＥＤを主走査方向にアレイ状に並べて配置した光源部を備えた従来の第１キャリッジの概略断面図。
【図９】従来の第１キャリッジの概略斜視図である。
【図１０】画像読取装置を上から見た際の原稿載置部の平面図。
【図１１】実施形態１で用いたＬＥＤアレイの概略構成図。
【図１２】すべてのＬＥＤが等間隔で配置されるようにするための説明図。
【図１３】実施形態１で用いたＬＥＤアレイの概略構成図。
【図１４】５個のＬＥＤアレイを連結して設置台上に設置した場合の概略構成図。
【図１５】各ＬＥＤアレイに電流の供給を制御する制御チップを設けた場合の概略構成図。
【図１６】すべてのＬＥＤが等間隔で配置されるようにするための説明図。
【図１７】（ａ）変形例のＬＥＤアレイの概略構成図。（ｂ）変形例のＬＥＤアレイの側面概略構成図。
【図１８】５個のＬＥＤアレイを連結して設置台上に設置した場合の概略構成図。
【図１９】ＬＥＤアレイ上の複数のＬＥＤを直列で繋いだ場合のＬＥＤアレイの概略構成図。
【図２０】一つの基板上に複数のＬＥＤを主走査方向にアレイ状に並べて配置した従来の光源部の概略構成図。
【符号の説明】
【００７３】
１００    ＬＥＤアレイ
１０２    ＬＥＤアレイ基板
１０３    設置台
１４０    操作部
１５５    第２コンタクトガラス
１６２    第１キャリッジ
１６３    第２キャリッジ
１９０    光源部
２００    結像レンズ
２１０    レンズユニット
２２１    ＣＣＤ
４００    ＬＥＤアレイ
４０１    ＬＥＤ
４０２    ＬＥＤアレイ基板
４０３    設置台
４０４    コネクタ
４０８    ネジ穴
４０９    オスコネクタ
４１０    メスコネクタ
４１１    給電コネクタ
４１２    給電コネクタ
４１３    給電コネクタ
４１４    給電コネクタ
４２０    ＬＥＤアレイ
４２２    ＬＥＤアレイ基板
４３０    ＬＥＤアレイ
４３２    ＬＥＤアレイ基板
５００    電源供給ライン
５０１    制御チップ
５０５    嵌合部
５０６    被嵌合部
【図１】
2008172389.tif 000003
【図２】
2008172389.tif 000004
【図３】
2008172389.tif 000005
【図４】
2008172389.tif 000006
【図５】
2008172389.tif 000007
【図６】
2008172389.tif 000008
【図７】
2008172389.tif 000009
【図８】
2008172389.tif 000010
【図９】
2008172389.tif 000011
【図１０】
2008172389.tif 000012
【図１１】
2008172389.tif 000013
【図１２】
2008172389.tif 000014
【図１３】
2008172389.tif 000015
【図１４】
2008172389.tif 000016
【図１５】
2008172389.tif 000017
【図１６】
2008172389.tif 000018
【図１７】
2008172389.tif 000019
【図１８】
2008172389.tif 000020
【図１９】
2008172389.tif 000021
【図２０】
2008172389.tif 000022